(57)【要約】【課題】デジタル電位差計を利用したフォトダイオードの感度調整装置及び方法を提供する。【解決手段】注入電流により光を出力するレーザダイオードと、光を受光して出力するフォトダイオードと、電圧調整信号によって前記フォトダイオードにより出力される低圧を調整するデジタル電位差計と、前記注入電流を出力し、前記光により前記フォトダイオードにより出力される第１基準電圧を設定し、前記出力電圧及び前記基準電圧によって前記デジタル電位差計に電圧調整信号を出力する制御部とを含むデジタル電位差計を利用したフォトダイオードの感度調整装置である。【選択図】図１
2005217394.tif 000002
【特許請求の範囲】
【請求項１】
注入電流により光を出力するレーザダイオードと、
光を受光して出力するフォトダイオードと、
電圧調整信号によって前記フォトダイオードにより出力される電圧を調整するデジタル電位差計と、
前記注入電流を出力し、前記光によって前記フォトダイオードにより出力される第１基準電圧を設定し、前記出力電圧及び前記基準電圧によって前記デジタル電位差計に電圧調整信号を出力する制御部と
を含むことを特徴とするフォトダイオードの感度調整装置。
【請求項２】
前記電圧は、前記デジタル電位差計の感度を調整するために利用可能であることを特徴とする請求項１に記載のフォトダイオードの感度調整装置。
【請求項３】
光パワーを測定して前記制御部に出力する光パワーメータをさらに含むことを特徴とする請求項１に記載のフォトダイオードの感度調整装置。
【請求項４】
スプリッタと、
対物レンズと
をさらに含み、
前記光パワーメータにより測定された光が前記スプリッタ及び前記対物レンズを通過することを特徴とする請求項１に記載のフォトダイオードの感度調整装置。
【請求項５】
前記出力電圧は前記検出された光の強度に比例することを特徴とする請求項１に記載のフォトダイオードの感度調整装置。
【請求項６】
前記注入電流は第１注入電流であり、
前記制御部は、
前記レーザダイオードに異なる第２注入電流を出力し、前記第２注入電流に対応する第２基準電圧を設定し、前記フォトダイオードの出力電圧が前記第２基準電圧と一致するように前記フォトダイオードの感度調整を確認することを特徴とする請求項１に記載のフォトダイオードの感度調整装置。
【請求項７】
前記出力電圧が前記基準電圧より大きい場合、前記制御部は前記出力電圧が低下するように前記電圧調整信号を出力することを特徴とする請求項１に記載のフォトダイオードの感度調整装置。
【請求項８】
前記出力電圧が前記基準電圧より小さい場合、前記制御部は前記出力電圧が上昇するように前記電圧調整信号を出力することを特徴とする請求項１に記載のフォトダイオードの感度調整装置。
【請求項９】
前記出力電圧が基準電圧と同じ場合、制御部は前記レーザダイオードに前記第１電流と異なる第２電流を伝送して第２基準電圧を設定し、前記フォトダイオードは第２電流により動作されるレーザダイオードから第２光を受光して第２電圧を出力することを特徴とする請求項１に記載のフォトダイオードの感度調整装置。
【請求項１０】
フォトダイオードの出力電圧を調整するデジタル電位差計を含んで前記フォトダイオードの感度を調整する方法であり、
光によって前記フォトダイオードの基準電圧を設定する段階と、
前記光の一部を受光して前記フォトダイオードが出力する電圧を測定する段階と、
前記デジタル電位差計に電圧調整信号を適用して前記基準と前記フォトダイオードの出力電圧とを一致させる段階と
を含むことを特徴とするフォトダイオードの感度調整方法。
【請求項１１】
前記光は、前記注入電流の応答でレーザダイオードにより出力されることを特徴とする請求項１０に記載のフォトダイオードの感度調整方法。
【請求項１２】
前記注入電流は第１注入電流であり、前記第１注入電流と異なる第２注入電流を生成し、前記第２注入電流に対応する第２基準電圧を設定し、前記フォトダイオードの出力電圧が前記第２基準電圧と一致しているか否かを確認する段階をさらに含むことを特徴とする請求項１０に記載のフォトダイオードの感度調整方法。
【請求項１３】
電流の応答でレーザダイオードから光を放出する段階と、
前記光の光パワーを測定する段階と、
前記測定された光パワーによって基準電圧を設定する段階と、
前記光の一部を受光して前記フォトダイオードが出力する電圧を測定する段階と、
前記出力電圧が前記基準電圧と一致しているか否かを判断する段階と、
前記出力電圧が前記基準電圧と一致しない場合、前記出力電圧を前記基準電圧に一致させるために前記デジタル電位差計に電圧調整信号を伝送する段階と
を含むることを特徴とするフォトダイオードの感度調整方法。
【請求項１４】
前記出力電圧が前記基準電圧より大きい場合、前記フォトダイオードの出力電圧を低下させる電圧調整信号を出力することを特徴とする請求項１３に記載のフォトダイオードの感度調整方法。
【請求項１５】
前記光は第１光であって前記電流は第１注入電流であり、
前記出力電圧が前記基準電圧と一致する場合、前記第１電圧と異なる第２電流を前記レーザダイオードに伝送する段階と、
前記第２電流の応答で前記レーザダイオードから第２光を放出する段階と、
前記第２光の光パワーを測定する段階と、
測定された前記第２光の光パワーによって第２基準電圧を設定する段階と、
少なくとも前記第２光の一部を検出して前記検出の応答でデジタル電位差計を介して出力電圧を出力する段階と、
前記出力電圧が前記第２基準電圧と一致しているか否かを判断する段階と
をさらに含むことを特徴とする請求項１３に記載のフォトダイオードの感度調整方法。
【請求項１６】
デジタル電位差計を駆動してフォトダイオードの感度を調整する装置であり、
電流の応答で光を放出するレーザダイオードと、
前記光の光パワーを測定する光パワーメータと、
前記測定された光パワーによって基準電圧を設定し、前記フォトダイオードから出力される出力電圧が前記基準電圧と一致しているか否かを判断し、前記出力電圧が前記基準電圧と一致しない場合、前記出力電圧が前記基準電圧と一致するように電圧調整信号を伝送する制御部と
を含み、
前記フォトダイオードは少なくとも前記光の一部を検出し、前記検出の応答で前記デジタル電位計を介してフォトダイオードの感度を調整する電圧を出力することを特徴とするデジタル電位差計を介したフォトダイオードの感度調整装置。
【請求項１７】
前記デジタル電位差計を前記フォトダイオードの一部分とすることを特徴とする請求項１６に記載のフォトダイオードの感度調整装置。
【発明の詳細な説明】
【技術分野】
【０００１】
本発明は光ピックアップ装置のフォトダイオードに係り、さらに詳細にはデジタル電位差計を利用したフォトダイオードの感度調整装置及び方法に関する。
【背景技術】
【０００２】
光ピックアップは光ディスクの記録及び再生のためのものである。レーザダイオード（ＬＤ：Ｌａｓｅｒ Ｄｉｏｄｅ）を介して発散される所定パワーの光を利用して光ディスクの記録、再生及び消去などの動作がなされる。モニタフォトダイオード（ＰＤ：Ｐｈｏｔｏ Ｄｉｏｄｅ）またはフロントＰＤ（ＦＰＤ）は、光ピックアップ内でＬＤを介して発散される光パワーを監視し、その監視結果を光パワー制御部にフィードバックする。光パワー制御部はモニタＰＤからフィードバックされた光パワー情報を介してＬＤのパワーを調整する。
【０００３】
ＯＤＤ（Ｏｐｔｉｃａｌ Ｄｉｓｋ Ｄｒｉｖｅ）機器の性能が発達しつつフォトダイオードの感度調整がさらに重要になるので、やさしくて正確な調整はＯＤＤ性能改善に大きな寄与となる。
従来に使用した光ピックアップには、フォトダイオードの感度を調整するための目的で、ピックアップの種類によって５００Ωや２．２ｋΩの可変抵抗、すなわち手動ロータリー式可変抵抗を利用してフォトダイオードの感度を調整した。調整者が電位差計を直接調整したが、調整者により引き起こされうる誤差及び調整時間が長くなることがあり、フォトダイオードの正確な感度調整が困難な問題点が発生する。
【発明の開示】
【発明が解決しようとする課題】
【０００４】
本発明が解決しようとする技術的な課題は、既存のロータリー式可変抵抗をデジタル電位差計に変え、フォトダイオードの感度を調整して調整者が引き起こしうる誤差及び調整時間を短縮させるためのデジタル電位差計を利用したフォトダイオードの感度調整装置及び方法を提供するところにある。
【課題を解決するための手段】
【０００５】
本発明が解決しようとする前記技術的な課題を解決するための第１実施例によるデジタル電位差計を利用したフォトダイオードの感度調整装置は、注入電流により光を出力するレーザダイオードと、光を受光して出力するフォトダイオードと、電圧調整信号によって前記フォトダイオードにより出力される電圧を調整するデジタル電位差計と、前記注入電流を出力し、前記光によって前記フォトダイオードにより出力される第１基準電圧を設定し、前記出力電圧及び前記基準電圧によって前記デジタル電位差計に電圧調整信号を出力する制御部とを含むことが望ましい。
【０００６】
本発明が解決しようとする前記技術的な課題を解決するための第１実施例によるデジタル電位差計を利用したフォトダイオードの感度調整方法は、フォトダイオードの出力電圧を調整するデジタル電位差計を含んで前記フォトダイオードの感度を調整する方法であり、光によって前記フォトダイオードの基準電圧を設定する段階と、前記光の一部を受光して前記フォトダイオードに出力する電圧を測定する段階と、前記デジタル電位差計に電圧調整信号を適用して前記基準と前記フォトダイオードの出力電圧とを一致させる段階とを含むことが望ましい。
【０００７】
本発明が解決しようとする前記技術的な課題を解決するための第２実施例によるデジタル電位差計を利用したフォトダイオードの感度調整方法は、電流の応答でレーザダイオードから光を放出する段階と、前記光の光パワーを測定する段階と、前記測定された光パワーによって基準電圧を設定する段階と、前記光の一部を受光して前記フォトダイオードに出力する電圧を測定する段階と、前記出力電圧が前記基準電圧と一致しているか否かを判断する段階と、前記出力電圧が前記基準電圧と一致しない場合、前記出力電圧を前記基準電圧に一致させるために前記デジタル電位差計に電圧調整信号を伝送する段階とを含むことが望ましい。
【０００８】
本発明が解決しようとする前記技術的な課題を解決するための第２実施例によるデジタル電位差計を利用したフォトダイオードの感度調整装置は、デジタル電位差計を駆動してフォトダイオードの感度を調整する装置であり、電流の応答で光を放出するレーザダイオードと、前記光の光パワーを測定する光パワーメータと、前記測定された光パワーによって基準電圧を設定し、前記フォトダイオードから出力される出力電圧が前記基準電圧と一致しているか否かを判断し、前記出力電圧が前記基準電圧と一致しない場合、前記出力電圧が前記基準電圧と一致するように電圧調整信号を伝送する制御部とを含み、前記フォトダイオードは少なくとも前記光の一部を検出し、前記検出の応答で前記デジタル電位計を介してフォトダイオードの感度を調整する電圧を出力することを特徴とする。
【発明を実施するための最良の形態】
【０００９】
以下、添付された図面を参照して本発明を詳細に説明する。
図１は、本発明によるデジタル電位差計を利用したフォトダイオードの感度調整装置の構成を示すブロック図であり、光ピックアップ１００、光パワーメータ１１０、制御部１２０とを含む。本発明で、光ピックアップ１００はＬＤ １００−１、スプリッタ１００−２、対物レンズ１００−３、ＰＤ １００−４、デジタル電位差計１００−５を含む。
【００１０】
図２は、本発明によるデジタル電位差計を利用したＰＤの感度調整方法の動作を示すフローチャートであり、所定の注入電流Ｉｏｐ（Ｉ１）とＬＤに入力する段階（２００）と、対物レンズを介して出力される光を測定してＰＤが出力せねばならない基準電圧Ｖｒを設定する段階（２１０）と、基準電圧ＶｒとＰＤの実際出力電圧Ｖａとを比較する段階（２２０）と、基準電圧ＶｒとＰＤの実際出力電圧Ｖａとが一致するようにＰＤに電圧調整信号Ｖｕｐ／Ｖｄｏｗｎを出力する段階（２４０）と、他の注入電流Ｉｏｐ（Ｉ２）をＬＤに入力してＰＤの実際出力電圧Ｖａが他の基準電圧Ｖｒ’と一致しているか否かを確認する段階（２５０）を含む。
【００１１】
次に、図１及び図２を参照してデジタル電位差計を利用したＰＤの感度調整装置及び方法を詳細に説明する。
まず、図１を参照してデジタル電位差計を利用したＰＤの感度調整装置を説明する。
光ピックアップ１００のＬＤ １００−１は注入電流Ｉｏｐ（Ｉ１）により光を出力する。スプリッタ１００−２は、ＬＤ １００−１から出力される光を通過させる。対物レンズ１００−３は、ＬＤ １００−１から出力される光を通過させて光パワーメータ１１０に出力する。
【００１２】
ＰＤ １００−４は、スプリッタ１００−２を通過した光の一部を感知してそれによる出力電圧Ｖａを制御部１２０に出力する。ＰＤ １００−４は感度調整のために出力電圧Ｖａを可変させるためのデジタル電位差計１００−５を含む。
光パワーメータ１１０は、対物レンズ１００−３を通過した光パワーを測定する。
【００１３】
制御部１２０は、まずＬＤ １００−１を動作させる注入電流Ｉｏｐ（Ｉ１）を出力し、光パワーメータ１１０で測定された光パワーで所望の感度でＰＤ １００−４が出力せねばならない基準電圧Ｖｒを設定する。制御部１２０は、ＰＤ １００−４から出力される電圧Ｖａと基準電圧Ｖｒとを比較し、ＰＤ １００−４から出力される電圧Ｖａが基準電圧Ｖｒと一致するように電圧調整信号Ｖｕｐ／Ｖｄｏｗｎをデジタル電位差計１００−５に出力する。
【００１４】
ＰＤ １００−４から出力される電圧Ｖａが基準電圧Ｖｒより大きい場合、制御部１２０はＰＤ １００−４から出力される電圧Ｖａを低下させる電圧調整信号Ｖｄｏｗｎをデジタル電位差計１００−５に出力する。それにより、デジタル電位差計１００−５はＰＤ １００−４から出力される電圧Ｖａを低下させ、低下された電圧Ｖａは、再び制御部１２０に出力され、基準電圧Ｖｒと一致しているか否か再び判断される。
【００１５】
ＰＤ １００−４から出力される電圧Ｖａが基準電圧Ｖｒより小さい場合、制御部１２０はＰＤ １００−４から出力される電圧Ｖａを上昇させる電圧調整信号Ｖｕｐをデジタル電位差計１００−５に出力する。それにより、デジタル電位差計１００−５はＰＤ １００−４から出力される電圧Ｖａを上昇させ、上昇された電圧Ｖａは、再び制御部１２０に出力され、基準電圧Ｖｒと一致しているか否か判断される。
【００１６】
ＰＤ １００−４から出力される電圧Ｖａが基準電圧Ｖｒと一致するようになれば、制御部１２０は調整確認のために初めに入力指示した注入電流Ｉｏｐ（Ｉ１）と異なる注入電流Ｉｏｐ（Ｉ２）をＬＤ １００−１に出力し、測定された光パワーに対する他の基準電圧Ｖｒ’を設定し、ＰＤ １００−４から出力される電圧Ｖａと一致しているか否かを確認する。このような確認作業を介してさらに正確にＰＤ １００−４の感度を調整する。
【００１７】
次に、図２を参照してデジタル可変抵抗を利用したＰＤの感度調整方法を説明する。
制御部１２０は、まずＬＤ １００−１を動作させる所定の注入電流Ｉｏｐ（Ｉ１）をＬＤ １００−１に入力する（２００段階）。
ＬＤ １００−１は、注入電流Ｉｏｐ（Ｉ１）により光を出力し、光パワーメータ１１０は対物レンズ１００−３を介して出力される光パワーの強度を測定して制御部１２０に伝送し、制御部１２０は測定された光パワーで所望の感度でＰＤ １００−４が出力せねばならない基準電圧Ｖｒを設定する（２１０段階）。
【００１８】
制御部１２０は、ＰＤ １００−４から出力される電圧Ｖａと基準電圧Ｖｒとを比較してＰＤ １００−４から出力される電圧Ｖａが基準電圧Ｖｒと一致しているか否かを判断する（２２０、２３０段階）。
ＰＤ １００−４から出力される電圧Ｖａが基準電圧Ｖｒと異なる場合、制御部１２０はＰＤ １００−４に備わったデジタル電位差計１００−５に電圧調整信号Ｖｕｐ／Ｖｄｏｗｎを出力する（２４０段階）。
【００１９】
ＰＤ １００−４から出力される電圧Ｖａが基準電圧Ｖｒより大きい場合、制御部１２０はＰＤ １００−４から出力される電圧Ｖａを低下させる電圧調整信号Ｖｄｏｗｎをデジタル電位差計１００−５に出力する。それにより、デジタル電位差計１００−５はＰＤ １００−４から出力される電圧Ｖａを低下させ、結局、電圧Ｖａは、基準電圧Ｖｒと一致するようになる。また、ＰＤ １００−４から出力される電圧Ｖａが基準電圧Ｖｒより小さい場合、制御部１２０はＰＤ １００−４から出力される電圧Ｖａを上昇させる電圧調整信号Ｖｕｐをデジタル電位差計１００−５に出力する。それにより、デジタル電位差計１００−５はＰＤ １００−４から出力される電圧Ｖａを上昇させ、結局、電圧Ｖａは、基準電圧Ｖｒと一致するようになる。
【００２０】
ＰＤ １００−４から出力される電圧Ｖａが基準電圧Ｖｒと一致するようになれば、制御部１２０は調整確認のために初めに入力指示した注入電流Ｉｏｐ（Ｉ１）と異なる注入電流Ｉｏｐ（Ｉ２）をＬＤ １００−１に出力し、測定された光パワーに対する他の基準電圧Ｖｒ’を設定し、ＰＤ １００−４から出力される電圧Ｖａと一致しているか否かを確認する（２５０段階）。
【産業上の利用可能性】
【００２１】
本発明は、光ピックアップ装置のＰＤに係り、デジタル信号によりＰＤの感度を調整して調整者が引き起こしうる誤差及び調整時間を短縮することができ、例えば光ディスクの記録／再生に効果的に適用可能である。
【図面の簡単な説明】
【００２２】
【図１】本発明によるデジタル電位差計を利用したＰＤの感度調整装置の構成を示すブロック図である。
【図２】本発明によるデジタル電位差計を利用したＰＤの感度調整方法の動作を示すフローチャートである。
【符号の説明】
【００２３】
１００…光ピックアップ
１００−１…ＬＤ
１００−２…スプリッタ
１００−３…対物レンズ
１００−４…ＰＤ
１００−５…デジタル電位差計
１１０…光パワーメータ
１２０…制御部
【図１】
2005217394.tif 000003
【図２】
2005217394.tif 000004